(57)【特許請求の範囲】
【請求項１】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と、
前記ズーム操作に応じて、前記表示手段により表示している映像に係る映像信号に対するズーム処理が前記外部の装置において可能か否かを問い合わせる問い合わせコマンドを前記外部の装置に送信するように前記通信手段を制御する制御手段と
を備え、
前記制御手段は、
前記問い合わせの結果、前記外部の装置においてズーム処理が可能であった場合には、前記映像信号に対するズーム処理を要求するズーム要求コマンドを前記外部の装置に送信するように前記通信手段を制御すると共に、該ズーム要求コマンドに応じて前記外部の装置より送信されて前記映像信号入力手段により入力された映像信号に係る映像を表示するように前記表示手段を制御し、
前記問い合わせの結果、前記外部の装置においてズーム処理が不可能であった場合には、映像表示装置において前記映像信号にズーム処理を施して表示するよう前記表示手段を制御する
ことを特徴とする映像表示装置。
【請求項２】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と、
前記ズーム操作に応じて、前記表示手段により表示している映像に係る映像信号に対するズーム処理を要求するズーム要求コマンドを前記外部の装置に送信するように前記通信手段を制御する制御手段と
を備え、
前記制御手段は、
前記ズーム要求コマンドに応じて前記外部の装置より送信されて前記映像信号入力手段により入力された映像信号に係る映像を表示するように前記表示手段を制御し、
前記ズーム要求コマンドの送信に対し、前記外部の装置から該ズーム要求コマンドによる処理が失敗した旨を示す通信がなされたら、前記映像信号に対して前記ズーム処理を施して表示するように前記表示手段を制御する
ことを特徴とする映像表示装置。
【請求項３】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と、
前記外部の装置が前記通信手段により接続されたら、該外部の装置のズーム能力を示す情報を取得するための通信を前記通信手段により行い、前記ユーザ操作受け付け手段に前記ズーム操作が受け付けられた際に、前記ズーム能力を示す情報に基づきズーム要求コマンドを前記外部の装置に送信するように前記通信手段を制御する制御手段と
を有し、
前記制御手段は、
前記ユーザ操作受け付け手段に前記ズーム操作が受け付けられた際に、前記外部の装置の前記ズーム能力を示す情報が取得されており、且つ、該情報が該ズーム操作に応じたズーム処理が可能であることを示していれば、前記ズーム操作に応じて、前記表示手段により表示している映像に係る映像信号に対するズーム処理を要求するズーム要求コマンドを該外部の装置に送信し、該ズーム要求コマンドに応じて該外部の装置より送信されて前記映像信号入力手段により入力された映像信号に係る映像を表示するように前記表示手段を制御し、
前記ユーザ操作受け付け手段に前記ズーム操作が受け付けられた際に、前記外部の装置の前記ズーム能力を示す情報が取得されていないか、または、該情報が該ズーム操作に応じたズーム処理が不可能であることを示していれば、前記映像信号に対して前記ズーム処理を施して表示するように前記表示手段を制御する
ことを特徴とする映像表示装置。
【請求項４】
前記映像信号に対してズーム処理を施すズーム処理手段をさらに有し、
前記制御手段は、前記ズーム処理手段を用いて前記ズーム処理を行い、該ズーム処理を行った映像を前記表示手段により前記表示装置に表示させるように制御する
ことを特徴とする請求項１乃至請求項３の何れか１項に記載の映像表示装置。
【請求項５】
前記外部の装置から出力される映像信号は、前記表示装置の表示解像度よりも高い解像度の映像に係る映像信号である
ことを特徴とする請求項１乃至請求項４の何れか１項に記載の映像表示装置。
【請求項６】
前記制御手段は、
前記ユーザ操作受け付け手段が前記ズーム操作を受け付けた際に、前記表示手段に表示中の映像が前記映像信号入力手段から入力された映像信号に係る映像であるか否かを判定し、該表示手段に表示中の映像が前記映像信号入力手段から入力された映像信号に係る映像であると判定された場合に、前記ズーム要求コマンドを送信するように前記通信手段を制御する
ことを特徴とする請求項１乃至請求項５の何れか１項に記載の映像表示装置。
【請求項７】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と
を備える映像表示装置の制御方法であって、
送信手段が、前記ズーム操作に応じて、前記表示手段により表示している映像に係る映像信号に対するズーム処理が前記外部の装置において可能か否かを問い合わせる問い合わせコマンドを前記外部の装置に送信する送信ステップと、
制御手段が、
前記送信ステップによる該問い合わせの結果、前記外部の装置においてズーム処理が可能であった場合には、前記映像信号に対するズーム処理を要求するズーム要求コマンドを送信するように前記通信手段を制御すると共に、該ズーム要求コマンドに応じて前記外部の装置より送信されて前記映像信号入力手段により入力された映像信号に係る映像を表示するように前記表示手段を制御し、
前記問い合わせの結果、前記外部の装置においてズーム処理が不可能であった場合には、前記映像表示装置において前記映像信号にズーム処理を施して表示するよう前記表示手段を制御する制御のステップと
を有する
ことを特徴とする映像表示装置の制御方法。
【請求項８】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と
を備える映像表示装置の制御方法であって、
送信手段が、前記ズーム操作に応じて、前記表示手段により表示している映像に係る映像信号に対するズーム処理を要求するズーム要求コマンドを前記外部の装置に送信する送信ステップと、
制御手段が、
該ズーム要求コマンドに応じて前記外部の装置より送信されて前記映像信号入力手段により入力された映像信号に係る映像を表示するように前記表示手段を制御し、
前記ズーム要求コマンドの送信に対し、前記外部の装置から該ズーム要求コマンドによる処理が失敗した旨を示す通信がなされたら、前記映像信号に対して前記ズーム処理を施して表示するように前記表示手段を制御する制御のステップと
を有する
ことを特徴とする映像表示装置の制御方法。
【請求項９】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と
を備える映像表示装置の制御方法であって、
制御手段が、前記外部の装置が前記通信手段により接続されたら、該外部の装置のズーム能力を示す情報を取得するための通信を前記通信手段により該外部の装置に対して行う通信ステップと、
前記制御手段が、
前記ユーザ操作受け付け手段により前記ズーム操作が受け付けられた際に、前記外部の装置の前記ズーム能力を示す情報が取得されており、且つ、該情報が該ズーム操作に応じたズーム処理が可能であることを示していれば、前記ズーム操作に応じて、前記表示手段により表示している映像に係る映像信号に対するズーム処理を要求するズーム要求コマンドを該外部の装置に送信し、該ズーム要求コマンドに応じて該外部の装置より送信されて前記映像信号入力手段により入力された映像信号に係る映像を表示するように前記表示手段を制御し、
前記ユーザ操作受け付け手段により前記ズーム操作が受け付けられた際に、前記外部の装置の前記ズーム能力を示す情報が取得されていないか、または、該情報が該ズーム操作に応じたズーム処理が不可能であることを示していれば、前記映像信号に対してズーム処理を施して表示するように前記表示手段を制御する制御のステップと
を有する
ことを特徴とする映像表示装置の制御方法。
【請求項１０】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備え、
前記映像表示装置は、前記ズーム操作に応じて、前記表示手段により表示している映像に係る映像信号に対するズーム処理が前記映像出力装置において可能か否かを問い合わせる問い合わせコマンドを、前記通信手段を介して前記映像出力装置に送信し、
前記映像出力装置は、前記問い合わせコマンドを受信したら、該問い合わせコマンドに応じて前記ズーム処理が映像出力装置において可能か否かを示す情報を、前記通信手段を介して前記映像表示装置に送信し、
前記映像表示装置は、前記ズーム処理が映像出力装置において可能か否かを示す情報を受信したら、該情報が前記映像出力装置においてズーム処理が可能であることを示していた場合、前記映像信号に対するズーム要求コマンドを、前記通信手段を介して前記映像出力装置に送信し、
前記映像出力装置は、前記ズーム要求コマンドを受信したら、該ズーム要求コマンドに応じて前記ズーム処理手段により前記映像信号に対して前記ズーム処理を行って、該ズーム処理を行った該映像信号を、前記映像信号送信手段を介して前記映像表示装置に送信し、
前記映像表示装置は、前記映像信号送信手段を介して受信された前記ズーム処理を行った映像信号に係る映像を前記表示手段に表示する
ことを特徴とする映像表示システム。
【請求項１１】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備え、
前記映像表示装置は、前記ズーム操作に応じて、前記表示手段により表示している映像に係る映像信号に対するズーム処理を要求するズーム要求コマンドを、前記通信手段を介して前記映像出力装置に送信し、
前記映像出力装置は、前記ズーム要求コマンドを受信したら、該ズーム要求コマンドに応じて前記ズーム処理手段により前記映像信号に対して前記ズーム処理を行い該ズーム処理が成功したら該ズーム処理を行った該映像信号を、前記映像信号送信手段を介して前記映像表示装置に送信し、該ズーム処理が失敗したらその旨を示す通信を前記通信手段により前記映像表示装置に対して行い、
前記映像表示装置は、前記映像信号送信手段を介して受信された、前記ズーム要求コマンドに応じて前記ズーム処理を行った映像信号に係る映像を表示するように前記表示手段を制御し、前記ズーム要求コマンドの送信に対し、前記通信手段により前記ズーム処理が失敗した旨を示す通信がなされたら、前記映像信号に対して前記ズーム処理を施して表示するように前記表示手段を制御する
ことを特徴とする映像表示システム。
【請求項１２】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備え、
前記映像表示装置は、前記映像出力装置が前記通信手段により接続されたら、該映像出力装置のズーム能力を示す情報を取得するための通信を前記通信手段により該映像出力装置に対して行い、
前記映像出力装置は、前記ズーム能力を有していれば、前記通信に応じて前記ズーム能力を示す情報を、前記通信手段を介して前記映像表示装置に対して送信し、
前記映像表示装置は、前記ユーザ操作受け付け手段に前記ズーム操作が受け付けられた際に、前記映像出力装置の前記ズーム能力を示す情報が取得されており、且つ、該情報が該ズーム操作に応じたズーム処理が可能であることを示していれば、前記ズーム操作に応じて、前記表示手段により表示している映像に係る映像信号に対するズーム処理を要求するズーム要求コマンドを該映像出力装置に送信し、前記映像信号送信手段を介して受信された、前記ズーム要求コマンドに応じて前記ズーム処理を行った映像信号に係る映像を表示するように前記表示手段を制御し、
前記ユーザ操作受け付け手段に前記ズーム操作が受け付けられた際に、前記映像出力装置の前記ズーム能力を示す情報が取得されていないか、または、該情報が該ズーム操作に応じたズーム処理が不可能であることを示していれば、前記映像信号に対して前記ズーム処理を施して表示するように前記表示手段を制御する
ことを特徴とする映像表示システム。
【請求項１３】
前記映像表示装置は、
前記映像信号に対してズーム処理を施す他のズーム処理手段をさらに有し、
前記映像表示装置において前記映像信号に対して前記ズーム処理を施す場合に、前記他のズーム処理手段を用いて前記ズーム処理を行い、該ズーム処理を行った映像を前記表示手段に表示するように制御する
ことを特徴とする請求項１０乃至請求項１２の何れか１項に記載の映像表示システム。
【請求項１４】
前記映像表示装置は、所定の解像度で前記表示手段による映像の表示を行い、
前記映像出力装置は、前記所定の解像度よりも高い解像度を持つ映像信号に対して前記ズーム処理手段による前記ズーム処理を行う
ことを特徴とする請求項１０乃至請求項１３の何れか１項に記載の映像表示システム。
【請求項１５】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備えた映像表示システムの映像表示制御方法であって、
前記映像表示装置は、前記ズーム操作に応じて、前記表示手段により表示している映像に係る映像信号に対するズーム処理が前記映像出力装置において可能か否かを問い合わせる問い合わせコマンドを、前記通信手段を介して前記映像出力装置に送信し、
前記映像出力装置は、前記問い合わせコマンドを受信したら、該問い合わせコマンドに応じて前記ズーム処理が映像出力装置において可能か否かを示す情報を、前記通信手段を介して前記映像表示装置に送信し、
前記映像表示装置は、前記ズーム処理が映像出力装置において可能か否かを示す情報を受信したら、該情報が前記映像出力装置においてズーム処理が可能であることを示していた場合、前記映像信号に対するズーム要求コマンドを、前記通信手段を介して前記映像出力装置に送信し、
前記映像出力装置は、前記ズーム要求コマンドを受信したら、該ズーム要求コマンドに応じて前記ズーム処理手段により前記映像信号に対して前記ズーム処理を行って、該ズーム処理を行った該映像信号を、前記映像信号送信手段を介して前記映像表示装置に送信し、
前記映像表示装置は、前記映像信号送信手段を介して受信された前記ズーム処理を行った映像信号を前記表示手段に表示する
ことを特徴とする映像表示制御方法。
【請求項１６】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備えた映像表示システムの映像表示制御方法であって、
前記映像表示装置は、前記ズーム操作に応じて、前記表示手段により表示している映像に係る映像信号に対するズーム処理を要求するズーム要求コマンドを、前記通信手段を介して前記映像出力装置に送信し、
前記映像出力装置は、前記ズーム要求コマンドを受信したら、該ズーム要求コマンドに応じて前記ズーム処理手段により前記映像信号に対して前記ズーム処理を行い該ズーム処理が成功したら該ズーム処理を行った該映像信号を、前記映像信号送信手段を介して前記映像表示装置に送信し、該ズーム処理が失敗したらその旨を示す通信を前記通信手段により該映像表示装置に対して行い、
前記映像表示装置は、前記映像信号送信手段を介して受信された、前記ズーム要求コマンドに応じて前記ズーム処理を行った映像信号に係る映像を表示するように前記表示手段を制御し、前記ズーム要求コマンドの送信に対し、前記通信手段により前記ズーム処理が失敗した旨を示す通信がなされたら、前記映像信号に対してズーム処理を施して表示するように前記表示手段を制御する
ことを特徴とする映像表示制御方法。
【請求項１７】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備えた映像表示システムの映像表示制御方法であって、
前記映像表示装置は、前記映像出力装置が前記通信手段により接続されたら、該映像出力装置のズーム能力を示す情報を取得するための通信を前記通信手段により該映像出力装置に対して行い、
前記映像出力装置は、前記ズーム能力を有していれば、前記通信に応じて前記ズーム能力を示す情報を、前記通信手段を介して前記映像表示装置に対して送信し、
前記映像表示装置は、前記ユーザ操作受け付け手段に前記ズーム操作が受け付けられた際に、前記映像出力装置の前記ズーム能力を示す情報が取得されており、且つ、該情報が該ズーム操作に応じたズーム処理が可能であることを示していれば、前記ズーム操作に応じて、前記表示手段により表示している映像に係る映像信号に対するズーム処理を要求するズーム要求コマンドを該映像出力装置に対して送信し、前記映像信号送信手段を介して受信された、前記ズーム要求コマンドに応じて前記ズーム処理を行った映像信号に係る映像を表示するように前記表示手段を制御し、
前記ユーザ操作受け付け手段に前記ズーム操作が受け付けられた際に、前記映像出力装置の前記ズーム能力を示す情報が取得されていないか、または、該情報が該ズーム操作に応じたズーム処理が不可能であることを示していれば、前記映像信号に対してズーム処理を施して表示するように前記表示手段を制御する
ことを特徴とする映像表示制御方法。
【発明の詳細な説明】
【技術分野】
【０００１】
本発明は、映像を表示させるための装置、方法およびシステムに関し、特に、表示映像を拡大表示する際に用いて好適な映像表示装置およびその制御方法、映像出力装置およびその制御方法、ならびに、映像表示システムおよびその制御方法に関する。
【背景技術】
【０００２】
近年、テレビジョン受像機などの映像表示装置に対して入力される映像信号の高解像度化が進んでいる。地上デジタル放送においては、フルハイビジョン映像（以下、フルＨＤ映像）と呼ばれる１９２０画素×１０８０画素の映像が用いられることが多くなっている。このような状況で、表示映像の拡大機能を備え、微細化された映像の視認性を向上させることができるようにした映像表示装置が開発されている。このような装置を用いると、ユーザは、映像内の特定の領域を注視したい場合に、その領域の映像を拡大表示することができ、利便性が向上する。
【０００３】
また、多くのテレビジョン受像機は、外部の映像出力装置を接続可能なインターフェイス（外部映像入力端子）を備える。外部映像入力端子を備えたテレビジョン受像機は、放送波以外の映像として、映像出力装置から出力された映像信号を画面に表示することができる。このような外部映像入力端子を備えたテレビジョン受像機に対して、上述した表示映像の拡大機能を付加することができる。この場合、ユーザは、外部映像入力端子から入力された映像信号により表示される映像に対して拡大表示を行うことが可能となる。
【０００４】
ところで、近年、デジタルカメラに使用される撮像素子の画素数は、５００万画素以上にもなってきている。この画素数は、テレビジョン受像機などの映像表示装置の表示可能画素数を大きく超えている。したがって、映像表示装置に外部映像入力端子を介してデジタルカメラの映像信号を入力する場合は、デジタルカメラ側で映像表示装置の表示可能な画素数(例えはフルＨＤ映像に対応する画素数)に映像を縮小して出力することになる。デジタルカメラから縮小されて出力された映像データは、映像表示装置のメモリに格納され、表示に用いられる。
【０００５】
このような場合において、上述した表示映像の拡大機能をユーザが利用する場合について考える。この場合、映像表示装置は、ユーザの操作に応じて、映像表示装置が保持する縮小された映像データを基に拡大表示を行うことになる。そのため、映像表示装置側で拡大表示された映像は、デジタルカメラが本来所有している高精細な映像と比べて品位が低下してしまう。
【０００６】
そこで従来では、デジタルカメラに、撮像され得られた映像データに対して拡大処理を行うズーム機能を持たせ、ユーザがデジタルカメラに対してズーム操作を行うことで所望の拡大表示を得るという方法が用いられていた。この方法によれば、映像の拡大処理がデジタルカメラ側で行われるので、ユーザは、デジタルカメラが所有している高精細な映像データを基にした映像を映像表示装置で鑑賞することができる。
【０００７】
また、特許文献１には、映像表示装置とデジタルカメラをＵＳＢやＩＥＥＥ１３９４などのデジタルデータインターフェイスで接続する形態が開示されている。特許文献１によれば、デジタルカメラから映像表示装置に対して、映像を映像データとして送信し、そのデータに対して拡大処理を行うことにより高品位の映像を得るようにしている。
【０００８】
上述したように、撮像素子の画素数が５００万画素以上にもなると、送信すべき映像データも膨大になる。この場合、映像データを、静止画であればＪＰＥＧ方式など所定の圧縮符号化方式で圧縮符号化して送信することが考えられる。
【特許文献１】特開２００４−１６３８１５号公報
【発明の開示】
【発明が解決しようとする課題】
【０００９】
しかしながら、従来の形態として上述した、デジタルカメラ側のズーム機能を用いて拡大表示を得る方法では、以下のような問題点があった。映像表示装置が映像の拡大機能を備えていたとしても、デジタルカメラなどの高精細な映像データを所有している外部の映像出力装置から出力される映像データを拡大表示する際には、ユーザは、この外部の映像出力装置に対して拡大操作を行う必要がある。そのため、ユーザは、拡大表示を行う際に、現在表示されている映像の出力元を意識して操作する対象を選択しなければならず、操作が煩雑となっていた。
【００１０】
一方、特許文献１に開示される方法によれば、映像表示装置に対する操作のみで高品位な拡大表示が可能となる。ところが、この特許文献１の方法では、以下のような問題点がある。
【００１１】
先ず、デジタルカメラから映像表示装置に対して、映像が映像信号ではなく映像データとして送られてくるため、このデータを処理するための機能が映像表示装置側に必要となる。一例として、映像データがＪＰＥＧ方式で圧縮符号化されて映像表示装置に送信される場合、圧縮符号を復号するデコーダが映像表示装置に必要となる。このデコーダの処理は複雑で時間がかかるため、快適な操作感を実現するためには、ハードウェアによるデコーダが必要となり、映像表示装置のコストアップ要因となる。特に、デジタルカメラの画素数が多い場合は、圧縮符号を復号するための処理負荷が高くなり、ハードウェアによるデコーダが必須となる。
【００１２】
さらに、映像表示装置は、デジタルカメラが出力する映像データを保持するためのメモリ領域を備える必要がある。このメモリ領域に必要となるサイズは、デジタルカメラの画素数に依存する。１２００万画素のデジタルカメラの映像データを取り扱う場合は、この映像データを展開するために、３２メガバイト程度のメモリ領域が必要となる可能性がある。一方、映像表示装置の受信可能な映像画素数がフルＨＤ映像に準じて１９２０画素ｘ１０８０画素とすると、この画素数のために必要なメモリ領域は、６メガバイト程度である。したがって、上述の３２メガバイトというメモリサイズも、コストアップ要因となる。
【００１３】
したがって、本発明の目的は、映像データの拡大表示を、画質を低下させることなく、簡易な操作で実行可能で、且つ、低コストで実現可能な映像表示装置およびその制御方法、映像出力装置およびその制御方法、ならびに、映像表示システムおよびその制御方法を提供することにある。
【課題を解決するための手段】
【００１４】
上述した課題を解決するために、第１の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段と、ズーム操作に応じて、表示手段により表示している映像に係る映像信号に対するズーム処理が外部の装置において可能か否かを問い合わせる問い合わせコマンドを外部の装置に送信するように通信手段を制御する制御手段とを備え、制御手段は、問い合わせの結果、外部の装置においてズーム処理が可能であった場合には、映像信号に対するズーム処理を要求するズーム要求コマンドを外部の装置に送信するように通信手段を制御すると共に、ズーム要求コマンドに応じて外部の装置より送信されて映像信号入力手段により入力された映像信号に係る映像を表示するように表示手段を制御し、問い合わせの結果、外部の装置においてズーム処理が不可能であった場合には、映像表示装置において映像信号にズーム処理を施して表示するよう表示手段を制御することを特徴とする映像表示装置である。
【００１５】
また、第２の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段と、ズーム操作に応じて、表示手段により表示している映像に係る映像信号に対するズーム処理を要求するズーム要求コマンドを外部の装置に送信するように通信手段を制御する制御手段とを備え、制御手段は、ズーム要求コマンドに応じて外部の装置より送信されて映像信号入力手段により入力された映像信号に係る映像を表示するように表示手段を制御し、ズーム要求コマンドの送信に対し、外部の装置からズーム要求コマンドによる処理が失敗した旨を示す通信がなされたら、映像信号に対してズーム処理を施して表示するように表示手段を制御することを特徴とする映像表示装置である。
【００１６】
また、第３の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段と、外部の装置が通信手段により接続されたら、外部の装置のズーム能力を示す情報を取得するための通信を通信手段により行い、ユーザ操作受け付け手段にズーム操作が受け付けられた際に、ズーム能力を示す情報に基づきズーム要求コマンドを外部の装置に送信するように通信手段を制御する制御手段とを有し、制御手段は、ユーザ操作受け付け手段にズーム操作が受け付けられた際に、外部の装置のズーム能力を示す情報が取得されており、且つ、情報がズーム操作に応じたズーム処理が可能であることを示していれば、ズーム操作に応じて、表示手段により表示している映像に係る映像信号に対するズーム処理を要求するズーム要求コマンドを外部の装置に送信し、ズーム要求コマンドに応じて外部の装置より送信されて映像信号入力手段により入力された映像信号に係る映像を表示するように表示手段を制御し、ユーザ操作受け付け手段にズーム操作が受け付けられた際に、外部の装置のズーム能力を示す情報が取得されていないか、または、情報がズーム操作に応じたズーム処理が不可能であることを示していれば、映像信号に対してズーム処理を施して表示するように表示手段を制御することを特徴とする映像表示装置である。
【００１７】
また、第４の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段とを備える映像表示装置の制御方法であって、送信手段が、ズーム操作に応じて、表示手段により表示している映像に係る映像信号に対するズーム処理が外部の装置において可能か否かを問い合わせる問い合わせコマンドを外部の装置に送信する送信ステップと、制御手段が、送信ステップによる問い合わせの結果、外部の装置においてズーム処理が可能であった場合には、映像信号に対するズーム処理を要求するズーム要求コマンドを送信するように通信手段を制御すると共に、ズーム要求コマンドに応じて外部の装置より送信されて映像信号入力手段により入力された映像信号に係る映像を表示するように表示手段を制御し、問い合わせの結果、外部の装置においてズーム処理が不可能であった場合には、映像表示装置において映像信号にズーム処理を施して表示するよう表示手段を制御する制御のステップとを有することを特徴とする映像表示装置の制御方法である。
【００１８】
また、第５の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段とを備える映像表示装置の制御方法であって、送信手段が、ズーム操作に応じて、表示手段により表示している映像に係る映像信号に対するズーム処理を要求するズーム要求コマンドを外部の装置に送信する送信ステップと、制御手段が、ズーム要求コマンドに応じて外部の装置より送信されて映像信号入力手段により入力された映像信号に係る映像を表示するように表示手段を制御し、ズーム要求コマンドの送信に対し、外部の装置からズーム要求コマンドによる処理が失敗した旨を示す通信がなされたら、映像信号に対してズーム処理を施して表示するように表示手段を制御する制御のステップとを有することを特徴とする映像表示装置の制御方法である。
【００１９】
また、第６の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段とを備える映像表示装置の制御方法であって、制御手段が、外部の装置が通信手段により接続されたら、外部の装置のズーム能力を示す情報を取得するための通信を通信手段により外部の装置に対して行う通信ステップと、制御手段が、ユーザ操作受け付け手段によりズーム操作が受け付けられた際に、外部の装置のズーム能力を示す情報が取得されており、且つ、情報がズーム操作に応じたズーム処理が可能であることを示していれば、ズーム操作に応じて、表示手段により表示している映像に係る映像信号に対するズーム処理を要求するズーム要求コマンドを外部の装置に送信し、ズーム要求コマンドに応じて外部の装置より送信されて映像信号入力手段により入力された映像信号に係る映像を表示するように表示手段を制御し、ユーザ操作受け付け手段によりズーム操作が受け付けられた際に、外部の装置のズーム能力を示す情報が取得されていないか、または、情報がズーム操作に応じたズーム処理が不可能であることを示していれば、映像信号に対してズーム処理を施して表示するように表示手段を制御する制御のステップとを有することを特徴とする映像表示装置の制御方法である。
【００２０】
また、第７の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備え、映像表示装置は、ズーム操作に応じて、表示手段により表示している映像に係る映像信号に対するズーム処理が映像出力装置において可能か否かを問い合わせる問い合わせコマンドを、通信手段を介して映像出力装置に送信し、映像出力装置は、問い合わせコマンドを受信したら、問い合わせコマンドに応じてズーム処理が映像出力装置において可能か否かを示す情報を、通信手段を介して映像表示装置に送信し、映像表示装置は、ズーム処理が映像出力装置において可能か否かを示す情報を受信したら、情報がズーム処理が映像出力装置において可能であることを示していた場合、映像信号に対するズーム要求コマンドを、通信手段を介して映像出力装置に送信し、映像出力装置は、ズーム要求コマンドを受信したら、ズーム要求コマンドに応じてズーム処理手段により映像信号に対してズーム処理を行って、ズーム処理を行った映像信号を、映像信号送信手段を介して映像表示装置に送信し、映像表示装置は、映像信号送信手段を介して受信されたズーム処理を行った映像信号に係る映像を表示手段に表示することを特徴とする映像表示システムである。
【００２１】
また、第８の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備え、映像表示装置は、ズーム操作に応じて、表示手段により表示している映像に係る映像信号に対するズーム処理を要求するズーム要求コマンドを、通信手段を介して映像出力装置に送信し、映像出力装置は、ズーム要求コマンドを受信したら、ズーム要求コマンドに応じてズーム処理手段により映像信号に対してズーム処理を行いズーム処理が成功したらズーム処理を行った映像信号を、映像信号送信手段を介して映像表示装置に送信し、ズーム処理が失敗したらその旨を示す通信を通信手段により映像表示装置に対して行い、映像表示装置は、映像信号送信手段を介して受信された、ズーム要求コマンドに応じてズーム処理を行った映像信号に係る映像を表示するように表示手段を制御し、ズーム要求コマンドの送信に対し、通信手段によりズーム処理が失敗した旨を示す通信がなされたら、映像信号に対してズーム処理を施して表示するように表示手段を制御することを特徴とする映像表示システムである。
【００２２】
また、第９の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備え、映像表示装置は、映像出力装置が通信手段により接続されたら、映像出力装置のズーム能力を示す情報を取得するための通信を通信手段により映像出力装置に対して行い、映像出力装置は、ズーム能力を有していれば、通信に応じてズーム能力を示す情報を、通信手段を介して映像表示装置に対して送信し、映像表示装置は、ユーザ操作受け付け手段にズーム操作が受け付けられた際に、映像出力装置のズーム能力を示す情報が取得されており、且つ、情報がズーム操作に応じたズーム処理が可能であることを示していれば、ズーム操作に応じて、表示手段により表示している映像に係る映像信号に対するズーム処理を要求するズーム要求コマンドを映像出力装置に送信し、映像信号送信手段を介して受信された、ズーム要求コマンドに応じてズーム処理を行った映像信号に係る映像を表示するように表示手段を制御し、ユーザ操作受け付け手段にズーム操作が受け付けられた際に、映像出力装置のズーム能力を示す情報が取得されていないか、または、情報がズーム操作に応じたズーム処理が不可能であることを示していれば、映像信号に対してズーム処理を施して表示するように表示手段を制御することを特徴とする映像表示システムである。
【００２３】
また、第１０の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備えた映像表示システムの映像表示制御方法であって、映像表示装置は、ズーム操作に応じて、表示手段により表示している映像に係る映像信号に対するズーム処理が映像出力装置において可能か否かを問い合わせる問い合わせコマンドを、通信手段を介して映像出力装置に送信し、映像出力装置は、問い合わせコマンドを受信したら、問い合わせコマンドに応じてズーム処理が映像出力装置において可能か否かを示す情報を、通信手段を介して映像表示装置に送信し、映像表示装置は、映像出力装置においてズーム処理が可能か否かを示す情報を受信したら、情報が映像出力装置においてズーム処理が可能であることを示していた場合、映像信号に対するズーム要求コマンドを、通信手段を介して映像出力装置に送信し、映像出力装置は、ズーム要求コマンドを受信したら、ズーム要求コマンドに応じてズーム処理手段により映像信号に対してズーム処理を行って、ズーム処理を行った映像信号を、映像信号送信手段を介して映像表示装置に送信し、映像表示装置は、映像信号送信手段を介して受信されたズーム処理を行った映像信号を表示手段に表示することを特徴とする映像表示制御方法である。
【００２４】
また、第１１の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備えた映像表示システムの映像表示制御方法であって、映像表示装置は、ズーム操作に応じて、表示手段により表示している映像に係る映像信号に対するズーム処理を要求するズーム要求コマンドを、通信手段を介して映像出力装置に送信し、映像出力装置は、ズーム要求コマンドを受信したら、ズーム要求コマンドに応じてズーム処理手段により映像信号に対してズーム処理を行いズーム処理が成功したらズーム処理を行った映像信号を、映像信号送信手段を介して映像表示装置に送信し、ズーム処理が失敗したらその旨を示す通信を通信手段により映像表示装置に対して行い、映像表示装置は、映像信号送信手段を介して受信された、ズーム要求コマンドに応じてズーム処理を行った映像信号に係る映像を表示するように表示手段を制御し、ズーム要求コマンドの送信に対し、通信手段によりズーム処理が失敗した旨を示す通信がなされたら、映像信号に対してズーム処理を施して表示するように表示手段を制御することを特徴とする映像表示制御方法である。
【００２５】
また、第１２の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備えた映像表示システムの映像表示制御方法であって、映像表示装置は、映像出力装置が通信手段により接続されたら、映像出力装置のズーム能力を示す情報を取得するための通信を通信手段により映像出力装置に対して行い、映像出力装置は、ズーム能力を有していれば、通信に応じてズーム能力を示す情報を、通信手段を介して映像表示装置に対して送信し、映像表示装置は、ユーザ操作受け付け手段にズーム操作が受け付けられた際に、映像出力装置のズーム能力を示す情報が取得されており、且つ、情報がズーム操作に応じたズーム処理が可能であることを示していれば、ズーム操作に応じて、表示手段により表示している映像に係る映像信号に対するズーム処理を要求するズーム要求コマンドを映像出力装置に対して送信し、映像信号送信手段を介して受信された、ズーム要求コマンドに応じてズーム処理を行った映像信号に係る映像を表示するように表示手段を制御し、ユーザ操作受け付け手段にズーム操作が受け付けられた際に、映像出力装置のズーム能力を示す情報が取得されていないか、または、情報がズーム操作に応じたズーム処理が不可能であることを示していれば、映像信号に対してズーム処理を施して表示するように表示手段を制御することを特徴とする映像表示制御方法である。
【発明の効果】
【００２６】
このような構成により、本発明によれば、映像データの拡大表示を、画質を低下させることなく、簡易な操作で実行可能で、且つ、低コストで実現可能となる。
【発明を実施するための最良の形態】
【００２７】
以下、この発明の実施の形態を、図面を参照しながら説明する。図１は、本発明に適用可能な表示システムの一例の構成を概略的に示す。映像表示装置１００と映像出力装置２００とがケーブル３００で接続される。本発明においては、映像出力装置２００からケーブル３００を介して映像表示装置１００に送られる映像信号を映像表示装置１００に対する操作に応じて拡大表示する際に、可能であれば映像出力装置２００が備えるズーム機能を用いるようにしている。
【００２８】
より具体的に説明する。映像表示装置１００において、映像出力装置２００から出力されケーブル３００を介して供給される映像信号（映像データ）が表示されているものとする。ユーザが映像表示装置１００に対して表示映像を拡大させる操作を行うと、操作に応じて、映像表示装置１００と映像出力装置２００との間でケーブル３００を介して所定のやりとりが行われ、映像出力装置２００に対して映像データのズームが要求される。映像出力装置２００は、このズーム要求に従い、可能であれば、映像出力装置２００が保持する映像データに対してズーム処理を行う。ズーム処理された映像データは、ケーブル３００を介して映像表示装置１００に送信される。映像表示装置１００は、映像出力装置２００からケーブル３００を介して送信された映像データによる映像を表示する。
【００２９】
このように映像表示制御を行うことで、映像表示装置１００に対する操作で拡大映像が得られるので、ユーザは、映像データの出力元を意識する必要が無く、操作が容易である。また、映像表示装置１００に表示される拡大映像は、映像出力装置２００において高解像度な元の映像データから直接的に生成される。そのため、拡大映像における画質の低下を極めて少なくできる。
【００３０】
なお、若し、映像表示装置１００からのズーム要求に対して映像出力装置２００側でズーム処理が不可能な場合には、その旨が映像表示装置１００に伝えられる。映像表示装置１００は、映像出力装置２００側でのズーム処理が不可能である旨が伝えられると、映像表示装置１００が有するズーム機能を用いて映像信号のズーム処理を行う。
【００３１】
映像出力装置２００におけるズーム処理としては、以下のような方法が考えられる。一例として、映像データを当該映像信号より画素数の少ない表示解像度を有する映像表示装置１００に表示させる際に、当該映像データに対してズーム率に応じて設定された表示領域内の信号を映像表示装置１００に表示させることで行うことが考えられる。
【００３２】
映像データに対して、表示解像度に等しい画素数の表示領域を設定した場合、解像度が最良となるズーム率が得られる。一方、映像データの全体を表示領域に設定した場合、ズーム率は１．０となる。この場合には、元となるデジタル映像データの画素に基づき、必要に応じて線形補間などを用いてズーム率に応じて画素を生成し、表示領域内の画素数を、映像表示装置１００の表示解像度による画素数に一致させることが考えられる。これは、最大のズーム率と最小のズーム率との間のズーム率においても同様である。
【００３３】
このように、本発明では、映像出力装置２００からケーブル３００を介して供給される映像データの拡大処理を、映像出力装置２００が備えるズーム機能を利用して行っている。そのため、本発明が適用された映像表示システムは、映像表示装置１００において、映像出力装置２００の処理可能な映像データの解像度に応じた、メモリや圧縮符号を復号するデコーダといったハードウェアを備える必要が無い。
【００３４】
本発明の第１の実施形態について、図面を参照しながらより詳細に説明する。図２は、本発明に適用可能な映像表示装置１００の一例の構成を示す。映像表示装置１００は、例えばテレビジョン放送を受信可能なテレビジョン受像機であるものとし、フルＨＤの映像を表示可能な１９２０画素×１０８０画素の表示領域を持つディスプレイパネル１１０を備える。受信されたテレビジョン放送による映像は、このディスプレイパネル１１０に表示される。また、映像表示装置１００は、１または複数の外部映像入力端子を備え、外部から供給された映像信号をディスプレイパネル１１０に表示させることができる。さらに、映像表示装置１００は、図示されないリモートコントロールコマンダ（以下、リモコンと略称する）により遠隔操作が可能とされている。
【００３５】
映像表示装置１００において、システムバス１１２に対して、ＣＰＵ１０１、ＲＯＭ１０２、ＲＡＭ１０３およびＩＲコントローラ１１１が接続される。システムバス１１２に対して、さらに、デコーダ１０５、ＨＤＭＩトランシーバ１０６、アナログＩ／Ｆ１０７、ビデオプロセッサ１０８およびディスプレイコントローラ１０９が接続される。
【００３６】
制御手段としてのＣＰＵ１０１は、後述するＲＯＭ１０２および／またはＲＡＭ１０３に格納されるプログラムに従い動作し、この映像表示装置１００全体の制御を行う。ＲＯＭ１０２は、ＣＰＵ１０１を動作させるためのプログラムと固定データとが格納されている不揮発性メモリである。映像表示装置１００の電源が投入されると、ＣＰＵ１０１は、ＲＯＭ１０２からプログラムを読み出して、読み出されたプログラムに従い映像表示装置１００の制御を開始する。
【００３７】
ＲＡＭ１０３は、データを一時的に格納するための揮発性メモリである。ＲＡＭ１０３は、ＣＰＵ１０１で実行されるプログラムがデータを格納するワーキングメモリとして用いられる。また、ＲＡＭ１０３は、ビデオプロセッサ１０８における映像データの処理に伴い発生する中間処理データや処理済データを格納するためのビデオメモリとしても利用される。ビデオメモリは、ＲＡＭ１０３とは別途に設けてもよい。
【００３８】
デコーダ１０５に対してチューナ１０４が接続される。チューナ１０４は、図示されないアンテナにより受信されたＲＦ信号から特定の周波数帯域の信号を選択して復調し、さらにＣＰＵ１０１で処理可能な形式の信号に変換する。たとえば、選択された信号が地上デジタル放送による信号である場合には、チューナ１０４は、この信号からＭＰＥＧ２−ＴＳデータを復元する。復元されたＭＰＥＧ−ＴＳデータは、デコーダ１０５に供給される。
【００３９】
デコーダ１０５は、システムバス１１２から供給されたＭＰＥＧ２−ＴＳデータから圧縮符号化されたビデオデータとオーディオデータとを取得する。ビデオデータはＭＰＥＧ２方式で、オーディオデータはＡＡＣ方式でそれぞれ圧縮符号化されている。デコーダ１０５は、それぞれのデータの圧縮符号を復号する。復号されたビデオデータおよびオーディオデータは、システムバス１１２を介してＲＡＭ１０３に供給され、ＲＡＭ１０３内に設けられたバッファ領域に格納される。
【００４０】
映像信号入力手段および通信手段としてのＨＤＭＩトランシーバ１０６は、ケーブル３００が接続可能とされ、ケーブル３００を介して送受信されるＨＤＭＩに準じた信号（以下、ＨＤＭＩ信号と呼ぶ）の処理を行う。ＨＤＭＩは、フルＨＤといった高解像度のデジタル映像信号を非圧縮で転送することができるように定められた規格である。ＨＤＭＩトランシーバ１０６は、ケーブル３００を介して入力されたＨＤＭＩ信号を復調し、デジタル映像データを抽出する。抽出された映像データは、システムバス１１２を介してＲＡＭ１０３に供給され、ＲＡＭ１０３内に設けられたバッファ領域に格納される。
【００４１】
また、ＨＤＭＩは、ＣＥＣと呼ばれるコマンドを送受信することができる。なお、ＣＥＣは、Consumer Electronics Controlの略称である。ＣＥＣコマンドは、ＣＰＵ１０１からの制御に基づき送受信される。ＣＥＣコマンドには、メーカ固有のコマンドを定義可能なコマンドVender Specific Commandsが規定されている。本発明で利用されるＣＥＣコマンドとして、このコマンドVender Specific Commandsを用いることが考えられる。
【００４２】
なお、ＨＤＭＩ信号は、上述したデジタル映像データおよびＣＥＣコマンドの他に、デジタルオーディオデータやさらに他の制御コマンドなどを含むことができるが、これらは本発明に関わりが薄いため、説明を省略する。
【００４３】
アナログビデオＩ／Ｆ１０７は、コンポジットビデオ信号やコンポーネントビデオ信号、Ｄ端子から入力される映像信号など、アナログ形式で入力される映像信号を処理する。アナログビデオＩ／Ｆ１０７は、受信したアナログ映像信号を所定のクロックに基づき処理し、Ａ／Ｄ変換することによりデジタル映像データに変換する。アナログビデオＩ／Ｆ１０７から出力された映像データは、システムバス１１２を介してＲＡＭ１０３に供給され、ＲＡＭ１０３内に設けられたバッファ領域に格納される。
【００４４】
他のズーム処理手段としてのビデオプロセッサ１０８は、例えばＳＩＭＤ演算処理命令といった映像処理に適した命令セットを持ち、ＣＰＵ１０１からの命令に従い映像データの処理を行う。ビデオプロセッサ１０８は、ＲＡＭ１０３内のバッファ領域に格納されている映像データに対して、拡大、縮小、ビデオデータのオーバレイおよび色変換といった映像処理を、略リアルタイムに行うことができる。
【００４５】
ビデオプロセッサ１０８で処理された映像データは、システムバス１１２を介してディスプレイコントローラ１０９に供給される。これに限らず、ビデオプロセッサ１０８で処理されたデジタル映像データを、ＲＡＭ１０３に格納してもよい。
【００４６】
なお、ここでは、ビデオプロセッサ１０８が独立したハードウェアであるかのように説明したが、これはこの例に限られない。ビデオプロセッサ１０８は、ＣＰＵ１０１内に統合されていてもよい。
【００４７】
ディスプレイコントローラ１０９は、ビデオプロセッサ１０８で処理されたデジタル映像データを、ディスプレイパネル１１０が表示可能な形式に変換する。ディスプレイコントローラ１０９から出力された信号は、ディスプレイパネル１１０に供給され、可視化される。ディスプレイパネル１１０は、液晶パネルや、プラズマデディスプレイパネルを適用することができる。ディスプレイコントローラ１０９およびディスプレイパネル１１０が表示手段に対応する。
【００４８】
ＩＲコントローラ１１１は、後述するリモコンから送信された赤外線信号を受信する受光素子と、受信された赤外線信号をデコードしてリモートコントロールコマンドを取得するデコーダとを有する。取得されたリモートコントロールコマンドは、システムバス１１２を介してＣＰＵ１０１に渡される。ＣＰＵ１０１は、このリモートコントロールコマンドに基づき映像表示装置１００の各部の動作を制御する。ＩＲコントローラ１１１およびリモコンがユーザ操作受け付け手段に対応する。
【００４９】
図３は、映像表示装置１００を遠隔操作するためのリモコン４００の一例の外観を概略的に示す。リモコン４００は、図示されるように複数のボタンが配置される。リモコン４００は、ユーザが操作したボタンに応じたリモートコントロールコマンドを生成し、このリモートコントロールコマンドを赤外線信号に変調して送信する。以下では、本発明に関わりの深いボタンについてのみ、説明を行う。
【００５０】
入力切り替えボタン４０１は、映像表示装置１００に入力される映像信号の入力経路を切り替えるためのボタンである。この図３の例では、入力切り替えボタン４０１が押下される毎に、映像表示装置１００に表示する映像信号の入力経路が順次切り替わるようになっている。例えば、入力切り替えボタン４０１の押下毎に、表示される映像信号の入力元が、地上デジタル放送→ＨＤＭＩ入力→コンポーネント入力→コンポジット入力→地上デジタル放送と、順次循環的に切り替えられる。
【００５１】
入力元として地上デジタル放送が選択されている場合には、デコーダ１０５から出力された映像データによる映像が映像表示装置１００で表示される。入力元としてＨＤＭＩ入力が選択されている場合には、ケーブル３００を介して供給されＨＤＭＩトランシーバ１０６により受信されたＨＤＭＩ信号に基づく映像データによる映像が映像表示装置１００で表示される。入力元としてコンポーネント入力、コンポジット入力またはＤ端子入力が選択されている場合には、外部からアナログビデオ信号として供給され、アナログビデオＩ／Ｆ１０７から出力された映像データによる映像が映像表示装置１００で表示される。
【００５２】
図３において、入力切り替えボタン４０１を含む４個のボタンからなるボタン群の下に４方向を指定可能なボタン群が配置され、さらにその下に、チャンネル指定ボタン群が配置される。チャンネル指定ボタン群の下にチャンネル番号増減ボタン群および音量調整ボタン群が配置される。
【００５３】
図３においてチャンネル増減ボタン群および音量調整ボタン群の下に、表示映像のズームインおよびズームアウトを要求するためのズームインボタン４０２およびズームアウトボタン４０３が配置される。ズームインボタン４０２を押下すると、映像表示装置１００に対して、表示中の映像を拡大表示することが要求される。ズームアウトボタン４０３を押下すると、映像表示装置１００に対して、表示中の映像を縮小表示することが要求される。
【００５４】
図４は、映像出力装置２００の一例の構成を概略的に示す。ここでは、映像出力装置２００がデジタルカメラであって、映像表示装置１００が表示可能な解像度よりも高解像度の映像データを処理可能であるものとする。一例として、映像出力装置２００は、有効画素数が略１６００万画素である撮像素子を有し、撮像素子で撮像された映像データは、４９９２画素×３３２８画素の解像度を有するものとする。
【００５５】
図４において、システムバス２０１に対して、撮像部２０２、ＣＰＵ２０３、ＲＯＭ２０４およびＲＡＭ２０５が接続される。システムバス２０１に対して、さらに、ＨＤＭＩトランシーバ２０６、グラフィックプロセッサ２０７およびフラッシュメモリ２０８が接続される。フラッシュメモリ２０８は、映像出力装置２００に対して脱着可能、且つ、データの書き換えが可能な不揮発性メモリからなる。
【００５６】
ＣＰＵ２０３は、後述するＲＯＭ２０４および／またはＲＡＭ２０５に格納されるプログラムに従い動作し、この映像出力装置２００全体の制御を行う。ＲＯＭ２０４は、ＣＰＵ２０３を動作させるためのプログラムと固定データとが格納されている不揮発性メモリである。映像出力装置２００の電源が投入されると、ＣＰＵ２０３は、ＲＯＭ２０４からプログラムを読み出し、読み出されたプログラムに従い映像出力装置２００の制御を開始する。
【００５７】
また、ＣＰＵ２０３は、ＲＯＭ２０４から読み出されたプログラムに従い、後述するフラッシュメモリ２０８に格納されるファイルを管理するためのファイルシステムを構築する。
【００５８】
ＲＡＭ２０５は、データを一時的に格納するための揮発性メモリである。ＲＡＭ２０５は、ＣＰＵ２０３で実行されるプログラムがデータを格納するワーキングメモリとして用いられる。また、ＲＡＭ２０５は、グラフィックプロセッサ２０７における映像データの処理に伴い発生する映像データの中間処理データや処理済データを格納するためのグラフィクスメモリとしても利用される。グラフィクスメモリは、ＲＡＭ２０５とは別途に設けてもよい。
【００５９】
撮像部２０２は、光学系、撮像素子および信号処理部を有する。光学系は、レンズ、フォーカス機構、絞り機構などからなる。撮像素子は、ＣＣＤやＣＭＯＳイメージャなどを適用でき、光学系を介して入射された光を電気信号に変換する。撮像素子から出力される信号は、信号処理部で所定に処理され、デジタル映像データに変換される。この映像データは、システムバス２０１を介してＲＡＭ２０５に一時的に格納される。
【００６０】
ズーム処理手段としてのグラフィックプロセッサ２０７は、ＲＡＭ２０５をワークメモリとして用い、ＣＰＵ２０３の命令に従いデジタル映像データに対して所定の映像処理を施す。
【００６１】
グラフィックプロセッサ２０７は、撮像部２０２から出力されＲＡＭ２０５に格納されたデジタル映像データに対して圧縮符号化処理を施し、圧縮映像データを生成する。デジタル映像データの圧縮符号化方式としては、ＪＰＥＧ方式を適用することができる。生成された圧縮映像データは、ＣＰＵ２０３により、ファイルシステムに基づき所定にファイル名が付与されたファイルに格納され、圧縮映像データファイルとしてフラッシュメモリ２０８に格納される。
【００６２】
また、グラフィックプロセッサ２０７は、フラッシュメモリ２０８から読み出された圧縮映像データファイルに格納された圧縮映像データの圧縮符号を復号することができる。圧縮符号を復号された復号映像データは、ＲＡＭ２０５に格納される。
【００６３】
さらに、グラフィックプロセッサ２０７は、ＲＡＭ２０５に格納されたデジタル映像データに対して拡大処理を行うことができる。既に説明したように、この拡大処理は、映像データを当該映像データより画素数の少ない表示解像度の第１の表示領域に表示させる際に、当該映像データから、当該映像データに対してズーム率に応じて設定された第２の表示領域内のデータを抽出する。そして、抽出された映像データの画素数が表示すべき第１の表示領域の画素数と一致するように処理を行う。例えば、上述したように、元となる映像データの画素に基づき、必要に応じて線形補間などを用いてズーム率に応じて画素を生成する。拡大処理を施された映像データは、ＲＡＭ２０５に格納される。
【００６４】
映像信号出力手段（または映像信号送信手段）および通信手段としてのＨＤＭＩトランシーバ２０６は、ケーブル３００が接続され、ケーブル３００を介して送受信されるＨＤＭＩ信号の処理を行う。ＨＤＭＩトランシーバ２０６は、デジタル映像データをＨＤＭＩのフォーマットに従いマッピングし、所定に変調してケーブル３００を介して外部に対して送信する。また、ＨＤＭＩトランシーバ２０６は、ＨＤＭＩ信号により送受信されるＣＥＣコマンドの処理も行う。ＨＤＭＩトランシーバ２０６は、受信したＨＤＭＩ信号を復調してＣＥＣコマンドを抽出する。抽出されたＣＥＣコマンドは、システムバス２０１を介してＣＰＵ２０３に渡される。また、ＨＤＭＩトランシーバ２０６は、ＣＰＵ２０３から渡されたＣＥＣコマンドをＨＤＭＩのフォーマットに従いマッピングして送信する。
【００６５】
次に、本発明の第１の実施形態による処理について説明する。図５は、ズームインボタン４０２またはズームアウトボタン４０３が押下された際の、映像表示装置１００側の一例の処理を示すフローチャートである。図５のフローチャートにおいてなされる各判断、制御処理は、ＣＰＵ１０１がプログラムに従い行う。図６は、図５に示される処理に応じた映像出力装置２００側の一例の処理を示すフローチャートである。図６のフローチャートにおいてなされる各判断、制御処理は、ＣＰＵ２０３がプログラムに従い行う。
【００６６】
図５を参照し、映像表示装置１００において、リモコン４００のズームインボタン４０２またはズームアウトボタン４０３の押下が検出される（ステップＳ４０１）。ズームインボタン４０２またはズームアウトボタン４０３がユーザによって押下されたことが検出されると、処理はステップＳ４０２に移行され、映像表示装置１００により現在表示されている映像信号の入力元が調べられる。ここでいう映像信号の入力元とは、リモコン４００の入力切り替えボタン４０１により選択された入力経路を表している。
【００６７】
若し、ステップＳ４０２で、映像信号の入力元がＨＤＭＩ入力以外であると判断されれば、処理はステップＳ４０３に移行する。ステップＳ４０３〜ステップＳ４０８の処理は、映像表示装置１００側で映像データに対するズーム処理を行う場合の一連の処理である。ステップＳ４０３で、ＣＰＵ１０１が現在のズーム率を取得する。次のステップＳ４０４で、ＣＰＵ１０１は、上述したステップＳ４０１で押下が検出されたボタンに応じた新たなズーム率を計算する。計算結果に基づき、ＣＰＵ１０１は、ズーム処理が可能であるか否かを判断する（ステップＳ４０５）。
【００６８】
図７は、映像表示装置１００が対応可能な一例のズーム率を示す。図７によれば、映像表示装置１００は、最小のズーム率１．０倍から最大のズーム率４．０倍まで、段階的にズーム率を設定可能とされている。例えば、現在のズーム率が１．５倍である場合にズームインボタン４０２が押下されると、新たなズーム率は、２．０倍となる。また、現在のズーム率が４．０倍である場合にズームインボタン４０２が押下されると、既にズーム率の上限に達していることから、ズーム率は変化しない。この場合には、ズーム不可とされる。
【００６９】
同様に、現在のズーム率が４．０倍である場合にズームアウトボタン４０３が押下されると、新たなズーム率は、３．０倍となる。また、現在のズーム率が１．０倍である場合にズームアウトボタン４０３が押下されると、既にズーム率の下限に達していることから、ズーム率は変化しない。この場合には、ズーム不可とされる。
【００７０】
上述のステップＳ４０５で、ズーム処理が可能であると判断されれば、処理はステップＳ４０６に移行される。ステップＳ４０６で、ＣＰＵ１０１は、ステップＳ４０４で計算されたズーム率をビデオプロセッサ１０８に設定する。ビデオプロセッサ１０８は、入力された映像データに対して、設定されたズーム率に従い拡大または縮小処理を行う。ビデオプロセッサ１０８で拡大または縮小処理された映像データは、ディスプレイコントローラ１０９に供給される。ディスプレイコントローラ１０９は、供給された映像データによって、ディスプレイパネル１１０に表示される画面を更新する（ステップＳ４０７）。
【００７１】
ここで、ステップＳ４０７で表示に使用される映像データは、フルＨＤに対応した映像信号をビデオプロセッサ１０８でズーム処理したものである。フルＨＤの解像度を有する映像データをズーム処理するため、ズームインすなわち拡大処理の場合は、ステップＳ４０７で表示される映像の解像度は、元の映像データに対して低下する。
【００７２】
図８は、上述したステップＳ４０３〜Ｓ４０７の処理に従いズーム表示（拡大表示）した場合の表示例を模式的に示す。このように、映像表示装置１００内で映像データの拡大処理を行う場合、ズーム率に応じた画面内の小領域を画面全体に引き延ばして表示することになる。そのため、映像自体は拡大して表示されるものの、解像度は低下する。
【００７３】
上述のステップＳ４０２で、映像信号の入力元がＨＤＭＩ入力であると判断されれば、処理はステップＳ４０９に移行する。ステップＳ４０９〜ステップＳ４１３は、映像表示装置１００に対する映像信号の入力元としてＨＤＭＩ入力が選択された場合の一連の処理である。この場合、映像表示装置１００は、映像表示装置１００とケーブル３００を介して接続された映像出力装置２００内の映像データのズーム処理を、映像出力装置２００と連携して行う。
【００７４】
以下では、図５のフローチャートと、映像出力装置２００側の処理を示す図６のフローチャートとを共に参照しながら説明する。なお、説明に先立ち、映像出力装置２００側では、ＣＰＵ２０３により、表示させるための映像データが予め選択されているものとする。そして、この映像データは、予め映像表示装置１００に対応する解像度に縮小され、ＨＤＭＩ信号として映像表示装置１００に送信されているものとする。
【００７５】
一例として、ＣＰＵ２０３は、映像出力装置２００が有する図示されない操作部に対するユーザ操作や外部からの制御信号に基づき、フラッシュメモリ２０８に格納された圧縮映像データファイルから映像表示装置１００に表示させるためのファイルを選択する。選択されたファイルは、フラッシュメモリ２０８から読み出され、ＲＡＭ２０５に格納される。グラフィックプロセッサ２０７は、ＣＰＵ２０３からの命令に従い、ＲＡＭ２０５に格納された圧縮映像データファイルから圧縮映像データを取り出して圧縮符号を復号する。圧縮符号が復号された映像データは、ＲＡＭ２０５に格納される。
【００７６】
説明は図５に戻り、ステップＳ４０９で、ＣＰＵ１０１は、上述のステップＳ４０１で押下が検出されたボタンにより指示されるズーム操作が可能か否かを確認するためのコマンドを、ＨＤＭＩに規定されるＣＥＣコマンドとして発行する。このＣＥＣコマンドは、ＨＤＭＩトランシーバ１０６に供給され、ケーブル３００を介して映像出力装置２００に対して送信される。
【００７７】
図６を参照し、映像出力装置２００は、上述のステップＳ４０９で映像表示装置１００から送られたＣＥＣコマンドをＨＤＭＩトランシーバ２０６により受信する（ステップＳ５０１）。受信されたＣＥＣコマンドは、ＣＰＵ２０３に渡される。ＣＰＵ２０３は、このＣＥＣコマンドに応じて、ＲＡＭ２０５に格納されている映像データに対するズーム処理が可能か否かを判断する。そして、判断結果を示す情報を、ＣＥＣコマンドとしてＨＤＭＩトランシーバ２０６からケーブル３００を介して、映像表示装置１００に対して送信する（ステップＳ５０２）。
【００７８】
図５を参照し、ステップＳ５０２で映像出力装置２００から送信されたＣＥＣコマンドが映像表示装置１００のＨＤＭＩトランシーバ１０６に受信され、ＣＰＵ１０１に渡される。ＣＰＵ１０１は、このＣＥＣコマンドに基づき、映像出力装置２００において映像データのズーム処理が可能か否かを判断する（ステップＳ４１０）。若し、ズーム処理が不可であると判断されたら、処理はステップＳ４０３に移行され、上述したステップＳ４０３〜ステップＳ４０８の処理に従い映像表示装置１００内でズーム処理がなされ、最終的にディスプレイパネル１１０に表示される。
【００７９】
なお、映像出力装置２００において映像データのズーム処理が不可である場合の例としては、最大のズーム率で拡大処理済みの映像データに対してズームイン指示がなされた場合が考えられる。同様に、最小のズーム率で縮小処理済みの映像データに対してズームアウト指示がなされた場合も、ズーム処理が不可とされる。また、映像出力装置２００がズーム機能を有していない場合も、ズーム処理が不可とされる。
【００８０】
映像出力装置２００がズーム操作が可能か否かを確認するためのＣＥＣコマンドに対応していない場合も、ズーム処理が不可とされる。この場合には、図６のフローチャートに示される処理は、実行されないことになる。また、映像表示装置１００は、当該ＣＥＣコマンドに対する返信がタイムアウトするか否かでズーム処理の可否を判断することが考えられる。
【００８１】
一方、上述のステップＳ４１０で、映像出力装置２００において映像データのズーム処理が可能であると判断されれば、処理はステップＳ４１１に移行される。ステップＳ４１１では、ＣＰＵ１０１は、ユーザが指定した、すなわち、上述したステップＳ４０１で検出されたズーム操作に従って新たなズーム率を計算する。そして、この新たなズーム率の情報をズームを要求するズーム要求コマンドと共にＨＤＭＩのＣＥＣコマンドを用いて、ＨＤＭＩトランシーバ１０６から送信する。このＣＥＣコマンドは、ケーブル３００を介して映像出力装置２００に送られ、ＨＤＭＩトランシーバ２０６に受信される。
【００８２】
図６を参照し、映像出力装置２００は、ステップＳ４１１で映像表示装置１００から送信されたＣＥＣコマンドを受信すると（ステップＳ５０３）、処理を次のステップＳ５０４に移行させる。次のステップＳ５０４で、受信されたＣＥＣコマンドに従い映像データのズーム処理を行う。
【００８３】
ステップＳ５０４で、ＣＰＵ２０３は、ステップＳ５０３で受信されたＣＥＣコマンドに基づきグラフィックプロセッサ２０７を制御し、ＲＡＭ２０５に格納される映像データに対して、指示されたズーム率に応じてズーム処理を行う。この場合、上述したように、ズーム処理は、処理後の映像データの解像度が表示を行う画枠の解像度に一致するようになされる。
【００８４】
ズーム処理された映像データは、ＲＡＭ２０５に格納される。この映像データは、ＣＰＵ２０３によりＲＡＭ２０５から読み出され、ＨＤＭＩトランシーバ２０６に供給される。ＨＤＭＩトランシーバ２０６は、供給された映像データをＨＤＭＩのフォーマットに従いマッピングしてＨＤＭＩ信号とし、ケーブル３００を介して映像表示装置１００に対して送信される（ステップＳ５０５）。
【００８５】
なお、図５のステップＳ４１０で、ズーム処理が不可であると判断された場合には、ステップＳ４１１でのＣＥＣコマンドの送信が行われない。そのため、図６のステップＳ５０３では、ステップＳ５０２から所定時間以上経過してもＣＥＣコマンドが映像表示装置１００から送られてこない場合に、タイムアウトとして一連の処理を終了させることが考えられる。
【００８６】
図５を参照し、映像表示装置１００において、ケーブル３００を介して映像出力装置２００から送られたＨＤＭＩ信号がＨＤＭＩトランシーバ１０６により受信される（ステップＳ４１２）。受信されたＨＤＭＩ信号は、ＨＤＭＩトランシーバ１０６で復調され、映像データを取り出される。この映像データは、ディスプレイコントローラ１０９に供給される。ディスプレイコントローラ１０９は、供給された映像データによって、ディスプレイパネル１１０に表示される画面を更新する（ステップＳ４１３）。
【００８７】
ここで、ステップＳ４１２で映像表示装置１００が受信する映像信号は、映像出力装置２００が所有する映像データを映像出力装置２００がズーム処理した信号であるから、ステップＳ４０７で表示される画像より高画質であることが期待される。一例として、映像出力装置２００が略１６００万画素（水平４９９２画素×垂直３３２８画素）の映像データを保持している場合は、ズーム率３．０倍程度まで（３．０≒３３２９画素／１０８０画素）、解像度の劣化が無いかまたは極めて少ない映像信号が受信される。
【００８８】
図９は、図５のステップＳ４０９〜Ｓ４１３、ならびに、図６の処理に従いズーム表示（拡大表示）した場合の表示例を模式的に示す。映像出力装置２００が有する、映像表示装置１００が対応可能な解像度よりも高い解像度の映像データを、映像出力装置２００側で拡大処理している。そのため、図８を用いて説明した、映像表示装置１００内で、ズーム率に応じた画面内の小領域を画面全体に引き延ばして拡大処理した場合よりも、解像度の劣化の極めて少ない表示を得ることができる。
【００８９】
また、本発明は、ズーム処理として、拡大処理のみならず、縮小処理についても有用なものである。縮小処理は、例えば、映像出力装置２００側における解像度の映像データに対して設定される表示領域を、ズーム率に合わせて拡大していくことでなされる。そのため、縮小処理を映像表示装置１００側で行おうとした場合、映像表示装置１００は、映像出力装置２００が対応する解像度の映像データを保持可能な容量を持つメモリを備える必要がある。縮小処理を映像出力装置２００側で行うことで、映像表示装置１００は、自身の対応する解像度、例えばフルＨＤ映像に対応した解像度の映像データを処理可能な容量のメモリを持てばよいことになる。このため、映像出力装置２００側で縮小処理を行えば、縮小処理を映像表示装置１００で行う場合に比べ、映像表示装置１００が備えるべきメモリの容量を削減できる。
【００９０】
以上のように、本発明の第１の実施形態によれば、外部から入力された映像を、簡易に操作可能で、画質を低下させることなくズーム表示することが可能な映像表示システムを、低コストで提供することができる。
【００９１】
なお、上述では、映像出力装置２００において、映像表示装置１００に対して表示させるための映像データを予め選択してあるものとして説明したが、映像データの選択を、映像表示装置１００側から行うことも可能である。
【００９２】
一例として、映像表示装置１００から映像出力装置２００に対して、フラッシュメモリ２０８に格納されている圧縮映像データファイルの一覧を要求する。この要求に応じて映像出力装置２００から送信された一覧データに基づき所望のファイルを選択するためのＧＵＩを構成し、ＧＵＩ画面を表示させる。ユーザは、このＧＵＩにより映像表示装置１００に表示させたいデータをリモコン４００の４方向ボタンを用いて選択する。選択されたファイル情報は、映像出力装置２００に対して送信され、映像出力装置２００において、受信されたファイル情報に基づきフラッシュメモリ２０８から圧縮映像データファイルを読み出す。
【００９３】
また、表示されている映像データをズームインにより拡大表示する際に、拡大表示を行う領域を指定できると好ましい。一例として、映像表示装置１００は、ディスプレイパネル１１０に対して、リモコン４００に設けられた４方向ボタンにより画面上を移動可能とされたカーソルを表示させる。ユーザは、拡大表示を行いたい領域の中心付近にカーソルを移動させ、ズームインボタン４０２を押下する。映像表示装置１００から映像出力装置２００に対して、ズーム要求と共に、カーソル位置を示す情報が送信される。映像出力装置２００は、このズーム要求と、カーソル位置情報とに基づき拡大処理を行う領域を決定する。
【００９４】
次に、本発明の第２の実施形態について、図１０および図１１のフローチャートを用いて説明する。この第２の実施形態は、図５および図６を用いて説明した第１の実施形態による処理に対して、ズーム処理の可否を確認する処理が省略されている。なお、この第２の実施形態は、上述した映像表示装置１００および映像出力装置２００の構成をそのまま適用できるので、これらの説明を省略する。
【００９５】
図１０は、ズームインボタン４０２またはズームアウトボタン４０３が押下された際の、第２の実施形態による映像表示装置１００側の一例の処理を示すフローチャートである。図１０のフローチャートにおいてなされる各判断、制御処理は、ＣＰＵ１０１がプログラムに従い行う。図１１は、図１０に示される処理に応じた映像出力装置２００側の一例の処理を示すフローチャートである。図１１のフローチャートにおいてなされる各判断、制御処理は、ＣＰＵ２０３がプログラムに従い行う。
【００９６】
図１０において、ステップＳ８０１〜ステップＳ８０８それぞれの処理は、図５を用いて説明したステップＳ４０１〜ステップＳ４０８それぞれの処理と同一であるので、煩雑さを避けるため、詳細な説明を省略する。
【００９７】
映像表示装置１００において、リモコン４００のズームインボタン４０２またはズームアウトボタン４０３の押下が検出される（ステップＳ８０１）。ズームインボタン４０２またはズームアウトボタン４０３がユーザによって押下されたことが検出されると、処理はステップＳ８０２に移行される。
【００９８】
ステップＳ８０２で、映像信号の入力元がＨＤＭＩ入力であると判断されれば、処理はステップＳ８０９に移行する。ステップＳ８０９〜ステップＳ８１２は、映像表示装置１００に対する映像信号の入力元としてＨＤＭＩ入力が選択された場合の一連の処理である。この場合、映像表示装置１００は、映像表示装置１００とケーブル３００を介して接続された映像出力装置２００内の映像データのズーム処理を、映像出力装置２００と連携して行う。
【００９９】
以下では、図１０のフローチャートと、映像出力装置２００側の処理を示す図１１のフローチャートとを共に参照しながら説明する。上述と同様に、映像出力装置２００側では、表示させるための映像データが予め選択され、映像表示装置１００に対応する解像度に縮小され、ＨＤＭＩ信号として映像表示装置１００に送信されているものとする。
【０１００】
ステップＳ８０９では、ＣＰＵ１０１は、ユーザが指定した、すなわち、上述したステップＳ８０１で検出されたズーム操作の指示を、ＨＤＭＩのＣＥＣコマンドを用いて、ＨＤＭＩトランシーバ１０６から送信する。このズーム要求のＣＥＣコマンドは、ケーブル３００を介して映像出力装置２００に送られ、ＨＤＭＩトランシーバ２０６に受信される。
【０１０１】
図１１を参照し、映像出力装置２００は、上述のステップＳ８０９で映像表示装置１００から送られたＣＥＣコマンドを、ＨＤＭＩトランシーバ２０６により受信する（ステップＳ６０１）。受信されたＣＥＣコマンドは、ＣＰＵ２０３に渡される。ＣＰＵ２０３は、このＣＥＣコマンドに応じて、ＲＡＭ２０５に格納される映像データのズーム処理が可能か否かを判断する（ステップＳ６０２）。若し、ズーム処理が可能であると判断されれば、ＣＰＵ２０３は、ズーム要求に基づきグラフィックプロセッサ２０７を制御し、映像データのズーム処理を行う（ステップＳ６０３）。そして、ＣＰＵ２０３は、ズーム要求が成功した旨を示す情報をＣＥＣコマンドとして映像表示装置１００に対して送信する（ステップＳ６０４）。
【０１０２】
ステップＳ６０３でズーム処理された映像データは、ＲＡＭ２０５に格納される。この映像データは、ＣＰＵ２０３によりＲＡＭ２０５から読み出され、ＨＤＭＩトランシーバ２０６に供給される。ＨＤＭＩトランシーバ２０６は、供給された映像データをＨＤＭＩのフォーマットに従いマッピングしてＨＤＭＩ信号とし、ケーブル３００を介して映像表示装置１００に対して送信される（ステップＳ６０５）。
【０１０３】
図１０を参照し、映像表示装置１００において、映像出力装置２００から送られたＨＤＭＩ信号がＨＤＭＩトランシーバ１０６により受信され（ステップＳ８１１）、ＨＤＭＩトランシーバ１０６で復調され、映像データを取り出される。この映像データは、ディスプレイコントローラ１０９に供給される。ディスプレイコントローラ１０９は、供給された映像データによって、ディスプレイパネル１１０に表示される画面を更新する（ステップＳ８１２）。
【０１０４】
なお、図１１のステップＳ６０２で、ＣＰＵ２０３がズーム処理を実行できないと判断した場合には、処理はステップＳ６０６に移行される。ステップＳ６０６では、映像出力装置２００から映像表示装置１００に対して、ズーム要求が失敗した旨を示す情報がＣＥＣコマンドとして送信される。図１０を参照し、映像表示装置１００側では、映像出力装置２００から送信されたＣＥＣコマンドがズーム要求失敗を示すと判断すると（ステップＳ８１０）、処理をステップＳ８０３に移行させる。以降、ステップＳ８０３〜ステップＳ８０８の処理に従い、映像データのズーム処理を映像表示装置１００内で行う。
【０１０５】
以上のように、上述した第１の実施形態と同様に、本発明の第２の実施形態によっても、外部から入力された映像を、簡易に操作可能で、画質を低下させることなくズーム表示することが可能な映像表示システムを、低コストで提供することができる。
【０１０６】
次に、本発明の第３の実施形態について説明する。この第３の実施形態は、図５および図６を用いて説明した第１の実施形態による処理に対して、映像出力装置２００と映像表示装置１００とがケーブル３００で接続された時点で、映像表示装置１００が映像出力装置２００のズーム能力を取得するようにしている。なお、この第３の実施形態は、上述した映像表示装置１００および映像出力装置２００の構成をそのまま適用できるので、これらの説明を省略する。
【０１０７】
図１２は、映像表示装置１００に対して映像出力装置２００が接続された際の、映像表示装置１００における一例の処理を示すフローチャートである。先ず、ステップＳ９０１で、映像表示装置１００は、映像出力装置２００がＨＤＭＩにより接続されたか否かを判定する。映像表示装置１００は、例えばＨＤＭＩに規定されるＨＤＣＰによる認証プロトコルを利用して、映像出力装置２００の接続を検出することができる。映像出力装置２００の接続が検出されると、処理はステップＳ９０２に移行される。
【０１０８】
ステップＳ９０２で、映像表示装置１００は、所定のコマンドを映像出力装置２００に送信し、接続された映像出力装置２００のズーム能力を示す情報の取得を試みる。例えば、映像表示装置１００は、映像出力装置２００に対して、映像出力装置２００が現在出力している映像データのズーム率の情報と、映像出力装置２００が実行可能なズーム率の一覧とを、ＣＥＣコマンドなどを用いて要求する。
【０１０９】
次のステップＳ９０３で、映像表示装置１００は、ステップＳ９０２で映像出力装置２００に送信されたコマンドが成功したか否かが判断される。若し、失敗したと判断されれば、一連の処理が終了される。映像出力装置２００がズーム機能を持たない場合や、ステップＳ９０２で送信されたコマンドに対応していない場合などには、コマンドが失敗する。
【０１１０】
一方、ステップＳ９０２で送信されたコマンドが成功したと判断されれば、処理はステップＳ９０４に移行される。すなわち、ステップＳ９０２で送信されたコマンドが成功した場合には、映像出力装置２００から映像表示装置１００に対して、現在出力している映像データのズーム率を示す情報と、映像出力装置２００が実行可能なズーム率の一覧とが送信される。映像表示装置１００は、ステップＳ９０４で、ステップＳ９０２で送信されたコマンドにより取得されたこれらの情報を、映像出力装置２００のズーム能力情報としてＲＡＭ１０３に格納する。
【０１１１】
図１３は、ステップＳ９０４でＲＡＭ１０３に格納されるズーム能力情報の例を示す。図１３（ａ）は、映像出力装置２００にて現在出力中のズーム率を示す情報の例を示す。図１３（ｂ）は、映像出力装置２００が実行可能なズーム率の一覧の例を示す。これにより、映像表示装置１００は、映像出力装置２００が現在ズーム率１．０倍で映像データを出力しており、ズーム率１．０倍、２．０倍および３．０倍に対応していることを知ることができる。
【０１１２】
図１４は、ズームインボタン４０２またはズームアウトボタン４０３が押下された際の、第３の実施形態による映像表示装置１００側の一例の処理を示すフローチャートである。図１４において、ステップＳ１１０１〜ステップＳ１１０８それぞれの処理は、図５を用いて説明したステップＳ４０１〜ステップＳ４０８それぞれの処理と同一であるので、煩雑さを避けるため、詳細な説明を省略する。
【０１１３】
映像表示装置１００において、リモコン４００のズームインボタン４０２またはズームアウトボタン４０３の押下が検出される（ステップＳ１１０１）。ズームインボタン４０２またはズームアウトボタン４０３がユーザによって押下されたことが検出されると、処理はステップＳ１１０２に移行される。
【０１１４】
ステップＳ１１０２で、映像信号の入力元がＨＤＭＩ入力であると判断されれば、処理はステップＳ１１０９に移行する。ステップＳ１１０９〜ステップＳ１１１３は、映像表示装置１００に対する映像信号の入力元としてＨＤＭＩ入力が選択された場合の一連の処理である。
【０１１５】
ステップＳ１１０９で、映像表示装置１００は、ＲＡＭ１０３に対して、接続されている映像出力装置２００のズーム能力情報が格納されているか否かを判断する。
【０１１６】
すなわち、この第３の実施形態によれば、図１２のフローチャートを用いて説明したように、映像出力装置２００が映像表示装置１００に接続された際に、映像表示装置１００により映像出力装置２００のズーム能力情報の取得が試みられている。映像表示装置１００がズーム能力情報の取得に成功した場合には、図１３（ａ）および図１３（ｂ）に例示されるような情報がＲＡＭ１０３に格納されていることになる。一方、映像出力装置２００がズーム機能を有していなかったり、映像表示装置１００が送信するコマンドに対応してない場合には、ズーム能力情報がＲＡＭ１０３に格納されない。
【０１１７】
ステップＳ１１０９で、ＲＡＭ１０３に映像出力装置２００のズーム能力を示す情報が格納されていないと判断されれば、処理はステップＳ１１０３に移行される。この場合には、映像出力装置２００のズーム機能を利用できないので、映像表示装置１００は、ステップＳ１１０３〜ステップＳ１１０８の処理に従い、映像データのズーム処理を映像表示装置１００内で行う。
【０１１８】
一方、ステップＳ１１０９で、ＲＡＭ１０３に映像出力装置２００のズーム能力を示す情報が格納されていると判断されれば、処理はステップＳ１１１０に移行される。ステップＳ１１１０で、映像表示装置１００は、ＲＡＭ１０３に格納されている映像出力装置２００のズーム能力情報に基づき、ユーザが指定した、すなわち、上述したステップＳ１１０１で検出されたズーム操作が可能であるか否かを判断する。
【０１１９】
一例として、ＲＡＭ１０３に対し、図１３（ｂ）に例示したような、映像出力装置２００がズーム率１．０倍、２．０倍および３．０倍に対応していることを示すズーム率一覧情報が格納されているものとする。また、ＲＡＭ１０３に格納される、現在出力中のズーム率を示す情報が、ズーム率２．０倍を示しているものとする。この場合、ステップＳ１１０１で検出されたズーム操作がズームインである場合、１段階、ズーム率を上げることができるので、映像表示装置１００は、映像出力装置２００においてズーム処理を実行可能であると判断する。
【０１２０】
映像出力装置２００におけるズーム処理が実行可能であると判断されれば、処理はステップＳ１１１１に移行され、表示される映像データのズーム処理を、映像出力装置２００と連携して行う。ステップＳ１１１１〜ステップＳ１１１３の処理は、図５を用いて説明したステップＳ４１１〜ステップＳ４１３の処理と同様である。また、対応する映像出力装置２００側の処理も、図６を用いて説明したステップＳ５０３〜ステップＳ５０５の処理と同様である。
【０１２１】
すなわち、映像表示装置１００から映像出力装置２００に対して、ユーザ操作に応じてステップＳ１１０１で検出されたズーム操作の指示が、ズーム要求としてＣＥＣコマンドを用いて送信される（ステップＳ１１１１）。このズーム要求は、映像出力装置２００に受信される。映像出力装置２００は、ＲＡＭ２０５に格納される映像データに対して、ズーム要求により指示されたズーム率に応じてズーム処理を行う。ズーム処理された映像データは、ＲＡＭ２０５に格納される。映像出力装置２００は、ＲＡＭ２０５に格納されたズーム処理済みの映像データをＨＤＭＩのフォーマットに従いマッピングしてＨＤＭＩ信号とし、ケーブル３００を介して映像表示装置１００に送信する。このＨＤＭＩ信号は、映像表示装置１００に受信され（ステップＳ１１１２）、最終的にディスプレイパネル１１０に供給され、表示画面が更新される（ステップＳ１１１３）。
【０１２２】
別の例として、映像出力装置２００が上述と同様にズーム率１．０、２．０および３．０に対応しており、ＲＡＭ１０３に格納される、現在出力中の映像データのズーム率を示す情報がズーム率３．０倍を示している場合について考える。この場合、映像出力装置２００におけるズーム率が既に上限に達しているので、ステップＳ１１０１で検出されたズーム操作がズームインである場合には、映像表示装置１００は、映像出力装置２００におけるズーム処理の実行が不可であると判断する。
【０１２３】
この場合には、映像表示装置１００は、処理をステップＳ１１１０からステップＳ１１０３に移行させ、ステップＳ１１０３〜ステップＳ１１０８の処理に従い、現在表示中の映像データのズーム処理を映像表示装置１００内で行う。
【０１２４】
なお、上述では、映像表示装置１００が地上デジタル放送を受信可能なテレビジョン受像機であるとして説明したが、これはこの例に限定されない。例えば、図２に示した構成からチューナ１０４およびデコーダ１０５を省略し、映像表示専用の装置としてもよい。また、上述では、映像表示装置１００がフルＨＤ映像の表示に対応しているとして説明したが、これはこの例に限られない。
【０１２５】
さらに、映像表示装置１００から、チューナ１０４およびデコーダ１０５に加えて、アナログビデオＩ／Ｆ１０７をさらに省略し、映像入力経路をＨＤＭＩ入力のみとしてもよい。この場合には、図５のフローチャートにおいて、ステップＳ４０２を省略しステップＳ４０１からステップＳ４０９に、直接的に処理を移行させることが考えられる。
【０１２６】
さらにまた、上述では、映像データが静止画データであるように説明したが、これはこの例に限定されず、映像データは、動画データであってもよい。
【０１２７】
また、上述では、映像およびコマンドの通信を、ＨＤＭＩおよびＨＤＭＩに規定されるＣＥＣを用いて行うように説明したが、これはこの例に限定されず、映像の送信と双方向制御が可能であれば、他のインターフェイスを適用可能である。一例として、映像表示装置１００に対する映像入力をＤ端子により行い、コマンドの双方向通信をＲＳ−２３２Ｃインターフェイスを用いて行うことが考えられる。
【０１２８】
さらに、上述では、映像出力装置２００がデジタルカメラであるとして説明したが、これはこの例に限定されない。映像出力装置２００は、映像表示装置１００の表示解像度よりも高い解像度の映像データを処理可能であると共に映像データのズーム機能を有し、映像データの外部への送信が可能で、且つ、双方向制御が可能な通信手段を備えていれば、他の種類の装置でもよい。例えば、デジタルビデオカメラ、フォトストレージ、パーソナルコンピュータを映像出力装置２００として適用することが考えられる。
【０１２９】
さらにまた、上述の第１〜第３実施形態においては、システム或は装置のコンピュータ（或いはＣＰＵ、ＭＰＵ等）によりソフトウェア的に実現することも可能である。例えば、上述した映像表示装置１００や映像出力装置２００は、それぞれコンピュータで構成することが可能である。したがって、上述の第１〜第３の実施形態をコンピュータで実現するために、当該コンピュータに供給されるコンピュータプログラム自体も本発明を実現するものである。つまり、上述の各実施形態の機能を実現するためのコンピュータプログラム自体も本発明の一つである。
【０１３０】
なお、上述の各実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【０１３１】
上述の各実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【０１３２】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【０１３３】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
【０１３４】
つまり、上述の実施形態を実現するためのプログラムファイルをクライアントコンピュータに提供するサーバ装置も本発明の一つである。
【０１３５】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。
【０１３６】
また、上述の実施形態を実現するためのコンピュータプログラムは、すでにコンピュータ上で稼働するＯＳの機能を利用するものであってもよい。
【０１３７】
さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【０１３８】
【図１】本発明に適用可能な表示システムの一例の構成を概略的に示す略線図である。
【図２】本発明に適用可能な映像表示装置の一例の構成を示すブロック図である。
【図３】映像表示装置を遠隔操作するためのリモコンの一例の外観を概略的に示す略線図である。
【図４】映像出力装置の一例の構成を概略的に示すブロック図である。
【図５】ズームインボタンまたはズームアウトボタンが押下された際の、第１の実施形態による映像表示装置側の一例の処理を示すフローチャートである。
【図６】映像表示装置側の処理に応じた映像出力装置側の一例の処理を示すフローチャートである。
【図７】映像表示装置が対応可能な一例のズーム率を示す略線図である。
【図８】映像表示装置側でズーム表示（拡大表示）を行った場合の表示例を模式的に示す略線図である。
【図９】映像出力装置側でズーム表示（拡大表示）を行った場合の表示例を模式的に示す略線図である。
【図１０】ズームインボタンまたはズームアウトボタンが押下された際の、第２の実施形態による映像表示装置側の一例の処理を示すフローチャートである。
【図１１】映像表示装置側の処理に応じた映像出力装置側の一例の処理を示すフローチャートである。
【図１２】映像表示装置に対して映像出力装置が接続された際の、映像表示装置における一例の処理を示すフローチャートである。
【図１３】映像表示装置が映像出力装置から取得してＲＡＭに格納する情報の例を示す略線図である。
【図１４】ズームインボタンまたはズームアウトボタンが押下された際の、第３の実施形態による映像表示装置側の一例の処理を示すフローチャートである。
【符号の説明】
【０１３９】
１００  映像表示装置
１０１  ＣＰＵ
１０３  ＲＡＭ
１０６  ＨＤＭＩトランシーバ
１０８  ビデオプロセッサ
１１０  ディスプレイパネル
２００  映像出力装置
２０３  ＣＰＵ
２０５  ＲＡＭ
２０６  ＨＤＭＩトランシーバ
２０７  グラフィックプロセッサ
３００  ケーブル
４００  リモコン
４０１  入力切り替えボタン
４０２  ズームインボタン
４０３  ズームアウトボタン
【図１】
0005149640.tif 000002
【図２】
0005149640.tif 000003
【図３】
0005149640.tif 000004
【図４】
0005149640.tif 000005
【図５】
0005149640.tif 000006
【図６】
0005149640.tif 000007
【図７】
0005149640.tif 000008
【図８】
0005149640.tif 000009
【図９】
0005149640.tif 000010
【図１０】
0005149640.tif 000011
【図１１】
0005149640.tif 000012
【図１２】
0005149640.tif 000013
【図１３】
0005149640.tif 000014
【図１４】
0005149640.tif 000015